Podtech/llm-jp-corpus-v4-ja_patent huggingface dataset:
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
遊技球が入球可能な始動口と、
開状態と閉状態とを採り得る可変入賞口と、
識別情報を表示可能な識別情報表示部と、
始動口への入球を契機として乱数を取得する乱数取得手段と、
識別情報の変動開始条件を充足した場合において、前記乱数に基づき当否判定を実行し、当該当否判定の結果に基づき複数種類の停止識別情報候補の内から一の種類の停止識別情報を決定する識別情報表示内容決定手段と、
識別情報表示内容決定手段による決定に基づき、識別情報表示部にて識別情報を変動表示させた後、識別情報表示部にて停止識別情報を停止表示させるよう制御する識別情報表示制御手段と、
識別情報表示部にて所定種類の停止識別情報が停止表示された場合、可変入賞口を開状態とし得る特別遊技状態へ移行させる特別遊技制御手段と
を備え
停止識別情報が停止表示された後、所定期間が経過するまでは前記識別情報の変動開始条件を充足させないか又は特別遊技状態へ移行させないよう構成されており、当該停止表示された停止識別情報の種類に応じて当該所定期間の長さが可変可能に構成されている
ことを特徴とするぱちんこ遊技機。
【手続補正２】
【補正対象書類名】明細書
【補正対象項目名】０００５
【補正方法】変更
【補正の内容】
【０００５】
本態様に係るぱちんこ遊技機は、
遊技球が入球可能な始動口と、
開状態と閉状態とを採り得る可変入賞口と、
識別情報を表示可能な識別情報表示部と、
始動口への入球を契機として乱数を取得する乱数取得手段と、
識別情報の変動開始条件を充足した場合において、前記乱数に基づき当否判定を実行し、当該当否判定の結果に基づき複数種類の停止識別情報候補の内から一の種類の停止識別情報を決定する識別情報表示内容決定手段と、
識別情報表示内容決定手段による決定に基づき、識別情報表示部にて識別情報を変動表示させた後、識別情報表示部にて停止識別情報を停止表示させるよう制御する識別情報表示制御手段と、
識別情報表示部にて所定種類の停止識別情報が停止表示された場合、可変入賞口を開状態とし得る特別遊技状態へ移行させる特別遊技制御手段と
を備え
停止識別情報が停止表示された後、所定期間が経過するまでは前記識別情報の変動開始条件を充足させないか又は特別遊技状態へ移行させないよう構成されており、当該停止表示された停止識別情報の種類に応じて当該所定期間の長さが可変可能に構成されている
ことを特徴とするぱちんこ遊技機である。
＜付記＞
尚、本態様とは異なる別態様について以下に列記しておくが、これらには何ら限定されることなく実施することが可能である。
本別態様（１）に係るぱちんこ遊技機は、
遊技球が入球可能な始動口（例えば、第１主遊技始動口２２１０、第２主遊技始動口２１１０）と、
識別情報（例えば、第１主遊技図柄、第２主遊技図柄）を表示可能な識別情報表示部（例えば、第１主遊技図柄表示部２１３１、第２主遊技図柄表示部２２３１）と、
始動口（例えば、第１主遊技始動口２２１０、第２主遊技始動口２１１０）への入球を契機として乱数を取得する乱数取得手段（例えば、乱数取得判定実行手段１１２０）と、
識別情報（例えば、第１主遊技図柄、第２主遊技図柄）の変動開始条件を充足した場合において識別情報（例えば、第１主遊技図柄、第２主遊技図柄）の停止識別情報を決定可能な手段であって、前記乱数に基づき複数種類の停止識別情報候補の内から一の種類の停止識別情報を決定する識別情報表示内容決定手段（例えば、図柄内容決定手段１１４０）と、
識別情報表示部（例えば、第１主遊技図柄表示部２１３１、第２主遊技図柄表示部２２３１）にて識別情報を変動表示させた後、識別情報表示部（例えば、第１主遊技図柄表示部２１３１、第２主遊技図柄表示部２２３１）にて停止識別情報を停止表示するよう制御する識別情報表示制御手段（例えば、表示制御手段１１５０）と、
識別情報表示制御手段（例えば、表示制御手段１１５０）により停止識別情報が停止表示された後、所定期間が経過するまでは前記変動開始条件を充足させないよう制御する手段であって、識別情報表示内容決定手段（例えば、図柄内容決定手段１１４０）により決定された停止識別情報の種類に基づき当該所定期間の長さを決定する識別情報変動表示固定制御手段（例えば、主遊技図柄変動固定制御手段１１５５）と
を備えることを特徴とするぱちんこ遊技機である。
本別態様（２）に係るぱちんこ遊技機は、
遊技球が入球可能な始動口（例えば、第１主遊技始動口２２１０、第２主遊技始動口２１１０）と、
識別情報（例えば、第１主遊技図柄、第２主遊技図柄）を表示可能な識別情報表示部（例えば、第１主遊技図柄表示部２１３１、第２主遊技図柄表示部２２３１）と、
始動口（例えば、第１主遊技始動口２２１０、第２主遊技始動口２１１０）への入球を契機として乱数を取得する乱数取得手段（例えば、乱数取得判定実行手段１１２０）と、
識別情報（例えば、第１主遊技図柄、第２主遊技図柄）の変動開始条件を充足した場合において識別情報（例えば、第１主遊技図柄、第２主遊技図柄）の変動態様と停止識別情報を決定可能な手段であって、前記乱数に基づき複数種類の変動態様候補の内から一の種類の変動態様を決定すると共に、複数種類の停止識別情報候補の内から一の種類の停止識別情報を決定する識別情報表示内容決定手段（例えば、図柄内容決定手段１１４０）と、
識別情報表示内容決定手段（例えば、図柄内容決定手段１１４０）により決定された変動態様に基づき、識別情報表示部（例えば、第１主遊技図柄表示部２１３１、第２主遊技図柄表示部２２３１）にて識別情報を変動表示させた後、識別情報表示部（例えば、第１主遊技図柄表示部２１３１、第２主遊技図柄表示部２２３１）にて停止識別情報を停止表示するよう制御する識別情報表示制御手段（例えば、表示制御手段１１５０）と、
識別情報表示制御手段（例えば、表示制御手段１１５０）により停止識別情報が停止表示された後、所定期間が経過するまでは前記変動開始条件を充足させないよう制御する手段であって、識別情報表示内容決定手段（例えば、図柄内容決定手段１１４０）により決定された変動態様の種類及び／又は停止識別情報の種類に基づき当該所定期間の長さを決定する識別情報変動表示固定制御手段（例えば、主遊技図柄変動固定制御手段１１５５）と
を備えることを特徴とするぱちんこ遊技機である。
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
ゲームにおいて表示されるゲーム媒体の提供抽選イベントを実行するための実行用パラメーター値に基づき、前記提供抽選イベントが発生可能かどうかを判定する判定部と、
前記提供抽選イベントにおける前記ゲーム媒体の出現確率の変動要素に基づき、前記ゲーム媒体の出現確率を調整する調整部と、
前記判定部によって前記提供抽選イベントが発生可能であると判定されると、前記調整部によって調整された出現確率に応じて、前記提供抽選イベントにおける前記ゲーム媒体の出現確率を示唆する示唆情報を生成する情報生成部と、
を含む情報生成装置。
【請求項２】
請求項１において、
前記出現確率の変動要素は、前記提供抽選イベントの発生回数、前記提供抽選イベントの発生順序、前記提供抽選イベントの発生日時、前記提供抽選イベントの発生による前記ゲーム媒体の提供履歴のうちの少なくとも１つである、
情報生成装置。
【請求項３】
請求項１において、
前記出現確率の変動要素は、前記提供抽選イベントの発生による前記ゲーム媒体の属性に関する提供履歴であって、
前記調整部は、未提供の属性の前記ゲーム媒体の出現確率を、提供済みの属性の前記ゲーム媒体の出現確率と比べて上げる調整、あるいは、他の属性と比べて提供確率が低い前記ゲーム媒体または他の属性と比べて提供数が少ない前記ゲーム媒体の出現確率を上げる調整を行い、
前記情報生成部は、前記出現確率を上げた属性のゲーム媒体の出現確率が上がっていることを示唆する前記示唆情報を生成する、
情報生成装置。
【請求項４】
請求項１において、
前記出現確率の変動要素は、前記ゲームにおけるキャラクターに関するパラメーター値
またはプレイヤーに関するパラメーター値である、
情報生成装置。
【請求項５】
請求項１において、
前記出現確率の変動要素は、前記ゲームを行う第２のプレイヤーと、当該第２のプレイヤーと関連つけられた第１のプレイヤーとの関連性である、
情報生成装置。
【請求項６】
請求項５において、
前記出現確率の変動要素は、前記第２のプレイヤーと関連つけられた前記第１のプレイヤーの人数である、
情報生成装置。
【請求項７】
請求項５において、
前記出現確率の変動要素は、前記第１のプレイヤーの位置と前記第２のプレイヤーとの位置関係である、
情報生成装置。
【請求項８】
請求項１〜７のいずれかにおいて、
前記調整部は、前記ゲーム媒体の出現確率を調整した後、前記提供抽選イベントが所定回数実行されるか、あるいは、所定時間が経過するまで、前記出現確率を維持するとともに、前記提供抽選イベントが所定回数実行されるか、あるいは、所定時間が経過すると、前記出現確率を調整前の値に戻す、
情報生成装置。
【請求項９】
請求項１〜８のいずれかにおいて、
前記示唆情報を、前記ゲームを実行する端末装置に送信する通信部を含む情報生成装置。
【請求項１０】
請求項９に記載の前記情報生成装置と、
請求項９に記載の前記端末装置と、
を含む情報提供システム。
【請求項１１】
請求項１０において、
前記端末装置は、画像生成部と、表示部とを含み、
前記情報生成部は、前記示唆情報として、画像情報を生成し、
前記画像生成部は、前記情報生成装置からの前記画像情報に基づき、前記出現確率を示唆する画像を生成し、
前記表示部は、当該画像を表示する、
情報提供システム。
【請求項１２】
請求項１１において、
前記通信部は、前記端末装置のゲームネットワークへの接続時、前記提供抽選イベントの発生可能時または前記端末装置での前記提供抽選イベントの発生時に、前記画像情報を前記端末装置に送信する、
情報提供システム。
【請求項１３】
請求項１２において、
前記情報生成部は、前記示唆情報として、電子メールを生成し、
前記端末装置の画像生成部は、前記情報生成装置からの前記電子メールに基づき、前記
出現確率を示唆する画像を生成し、
前記端末装置の表示部は、当該画像を表示する、
情報提供システム。
【請求項１４】
ゲームにおいて表示されるゲーム媒体の提供抽選イベントにおける前記ゲーム媒体の出現確率を示唆する示唆情報を提供する情報提供システムであって、
ゲームにおいて表示されるゲーム媒体の提供抽選イベントを実行するための実行用パラメーター値に基づき、前記提供抽選イベントが発生可能かどうかを判定する判定部と、
前記提供抽選イベントにおける前記ゲーム媒体の出現確率の変動要素に基づき、前記ゲーム媒体の出現確率を調整する調整部と、
前記判定部によって前記提供抽選イベントが発生可能であると判定されると、前記調整部によって調整された出現確率に応じて、前記提供抽選イベントにおける前記ゲーム媒体の出現確率を示唆する示唆情報を生成する情報生成部と、
を含む情報提供システム。
【請求項１５】
コンピューターを、
ゲームにおいて表示されるゲーム媒体の提供抽選イベントを実行するための実行用パラメーター値に基づき、前記提供抽選イベントが発生可能かどうかを判定する判定部と、
前記提供抽選イベントにおける前記ゲーム媒体の出現確率の変動要素に基づき、前記ゲーム媒体の出現確率を調整する調整部と、
前記判定部によって前記提供抽選イベントが発生可能であると判定されると、前記調整部によって調整された出現確率に応じて、前記提供抽選イベントにおける前記ゲーム媒体の出現確率を示唆する示唆情報を生成する情報生成部と、として機能させる、
プログラム。
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
ゲームにおいて表示されるゲーム媒体の提供抽選イベントを実行するための実行用パラメーター値に基づき、前記提供抽選イベントが発生可能かどうかを判定する判定部と、
前記提供抽選イベントにおける前記ゲーム媒体の出現確率の変動要素に基づき、前記ゲーム媒体の出現確率を調整する調整部と、
を含み、
前記調整部は、
前記ゲームを行う第２のプレイヤーと、当該第２のプレイヤーと関連つけられた第１のプレイヤーとの関連性を前記出現確率の変動要素として、前記ゲーム媒体の出現確率を調整する情報生成装置。
【請求項２】
ゲームにおいて表示されるゲーム媒体の提供抽選イベントを実行するための実行用パラメーター値に基づき、前記提供抽選イベントが発生可能かどうかを判定する判定部と、
前記提供抽選イベントにおける前記ゲーム媒体の出現確率の変動要素に基づき、前記ゲーム媒体の出現確率を調整する調整部と、
を含み、
前記調整部は、
複数の提供抽選イベントの発生順序を前記出現確率の変動要素として、前記ゲーム媒体の出現確率を調整する情報生成装置。
【請求項３】
請求項１において、
前記出現確率の変動要素としての第２のプレイヤーと第１のプレイヤーとの関連性は、第１のプレイヤーの位置と第２のプレイヤーとの位置関係である、
情報生成装置。
【請求項４】
請求項１、３のいずれかにおいて、
前記出現確率の変動要素としての前記第２のプレイヤーと第１のプレイヤーとの関連性は、前記第２のプレイヤーと関連つけられた第１のプレイヤーの人数である、
情報生成装置。
【請求項５】
請求項２において、
前記調整部は、
更に前記提供抽選イベントの発生回数を前記出現確率の変動要素として、前記ゲーム媒体の出現確率を調整する情報生成装置。
【請求項６】
請求項２、５のいずれかにおいて、
前記調整部は、
更に前記提供抽選イベントの発生によるゲーム媒体の提供履歴を前記出現確率の変動要素として、前記ゲーム媒体の出現確率を調整する情報生成装置。
【請求項７】
請求項１〜６のいずれかにおいて、
前記判定部によって前記提供抽選イベントが発生可能であると判定されると、前記調整部によって調整された出現確率に応じて、前記提供抽選イベントにおける前記ゲーム媒体の出現確率を示唆する示唆情報を生成する情報生成部と、
を含む情報生成装置。
【請求項８】
請求項７において、
前記示唆情報を、前記ゲームを実行する端末装置に送信する通信部を含む情報生成装置。
【請求項９】
請求項８に記載の前記情報生成装置と、
請求項８に記載の前記端末装置と、
を含む情報提供システム。
【請求項１０】
請求項９において、
前記端末装置は、画像生成部と、表示部とを含み、
前記情報生成部は、前記示唆情報として、画像情報を生成し、
前記画像生成部は、前記情報生成装置からの前記画像情報に基づき、前記出現確率を示唆する画像を生成し、
前記表示部は、当該画像を表示する、
情報提供システム。
【請求項１１】
ゲームにおいて表示されるゲーム媒体の提供抽選イベントを実行するための実行用パラメーター値に基づき、前記提供抽選イベントが発生可能かどうかを判定する判定部と、
前記提供抽選イベントにおける前記ゲーム媒体の出現確率の変動要素に基づき、前記ゲーム媒体の出現確率を調整する調整部と、
を含み、
前記調整部は、
前記ゲームを行う第２のプレイヤーと、当該第２のプレイヤーと関連つけられた第１のプレイヤーとの関連性を前記出現確率の変動要素として、前記ゲーム媒体の出現確率を調整する
情報生成装置システム。
【請求項１２】
ゲームにおいて表示されるゲーム媒体の提供抽選イベントを実行するための実行用パラメーター値に基づき、前記提供抽選イベントが発生可能かどうかを判定する判定部と、
前記提供抽選イベントにおける前記ゲーム媒体の出現確率の変動要素に基づき、前記ゲーム媒体の出現確率を調整する調整部と、
を含み、
前記調整部は、
複数の提供抽選イベントの発生順序を前記出現確率の変動要素として、前記ゲーム媒体の出現確率を調整する情報生成システム。
【請求項１３】
コンピューターを、
ゲームにおいて表示されるゲーム媒体の提供抽選イベントを実行するための実行用パラメーター値に基づき、前記提供抽選イベントが発生可能かどうかを判定する判定部と、
前記提供抽選イベントにおける前記ゲーム媒体の出現確率の変動要素に基づき、前記ゲーム媒体の出現確率を調整する調整部と、して機能させ、
前記調整部は、
前記ゲームを行う第２のプレイヤーと、当該第２のプレイヤーと関連つけられた第１のプレイヤーとの関連性を前記出現確率の変動要素として、前記ゲーム媒体の出現確率を調整する、
プログラム。
【請求項１４】
コンピューターを、
ゲームにおいて表示されるゲーム媒体の提供抽選イベントを実行するための実行用パラメーター値に基づき、前記提供抽選イベントが発生可能かどうかを判定する判定部と、
前記提供抽選イベントにおける前記ゲーム媒体の出現確率の変動要素に基づき、前記ゲーム媒体の出現確率を調整する調整部として機能させ、
前記調整部は、
複数の提供抽選イベントの発生順序を前記出現確率の変動要素として、前記ゲーム媒体の出現確率を調整する、
プログラム。
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
電力を供給する電源の種別を特定する電源特定部と、
給電対象の外部装置の受電能力を特定する受電能力特定部と、
特定された前記電源の種別と、特定された前記受電能力とを照合する照合部と、
照合結果に基づいて、前記給電対象の外部装置に対応する電力を伝送させる電力制御部と、
を備える、給電装置。
【請求項２】
前記給電対象の外部装置と通信を行う通信部をさらに備え、
前記受電能力特定部は、前記通信部における前記給電対象の外部装置との通信により前記給電対象の外部装置から取得された情報に基づいて、前記給電対象の外部装置の受電能力を特定する、請求項１に記載の給電装置。
【請求項３】
前記通信部は、前記給電対象の外部装置において負荷変調が行われることにより送信される前記情報を取得する、請求項２に記載の給電装置。
【請求項４】
前記通信部は、
前記電力の周波数よりも高い周波数の高周波信号を、電力が伝送される電力線を介して送信し、前記給電対象の外部装置と通信を行う電力線通信部と、
前記電力線通信部と前記電力線との間に接続され、少なくとも前記電力の周波数の信号を遮断し、前記高周波信号を遮断しない通信フィルタと、
を備える、請求項３に記載の給電装置。
【請求項５】
前記通信部は、
前記電力の周波数よりも高い周波数の高周波信号に応じた搬送波を送信する通信アンテナと、
前記高周波信号を前記通信アンテナを介して送信し、前記給電対象の外部装置と通信を行う無線通信部と、
を備える、請求項３に記載の給電装置。
【請求項６】
前記受電能力特定部は、前記通信部における前記給電対象の外部装置との通信により前記給電対象の外部装置から取得された、前記給電対象の外部装置を示す識別情報に基づいて、前記給電対象の外部装置を特定し、特定された前記給電対象の外部装置に対応する受電能力を特定する、請求項２〜５のいずれか１項に記載の給電装置。
【請求項７】
前記受電能力特定部は、前記通信部における前記給電対象の外部装置との通信により前記給電対象の外部装置から取得された、前記給電対象の外部装置の受電能力を示す受電能力情報に基づいて、前記給電対象の外部装置の受電能力を特定する、請求項２〜５のいずれか１項に記載の給電装置。
【請求項８】
前記照合部は、特定された前記電源の種別と特定された前記受電能力とを照合して、種別が特定された電源から供給される電力が、特定された前記受電能力を超えるかを判定し、
前記電力制御部は、
前記照合結果である判定結果が、前記受電能力を超えることを示す場合には、種別が特定された電源から供給される電力を、特定された前記受電能力を超えない電力に変換させて、変換させた電力を伝送させ、
前記照合結果である判定結果が、前記受電能力を超えることを示さない場合には、種別が特定された電源から供給される電力を伝送させる、請求項１〜７のいずれか１項に記載の給電装置。
【請求項９】
前記受電能力特定部において複数の電源の種別が特定された場合、
前記照合部は、特定された前記電源の種別と特定された前記受電能力とを照合して、種別が特定された複数の電源の中から、特定された前記受電能力を超えない電力を供給可能な電源を選択し、
前記電力制御部は、前記照合結果である電源の選択結果に基づいて、特定された前記受電能力を超えない電源から供給される電力を、選択的に伝送させる、請求項１〜７のいずれか１項に記載の給電装置。
【請求項１０】
伝送される電力を供給する電源の種別を特定する電源特定部と、
自装置の受電能力を特定する受電能力特定部と、
特定された前記電源の種別と、特定された前記受電能力とを照合する照合部と、
照合結果に基づいて、自装置に対応する電力を受電させる電力制御部と、
を備える、受電装置。
【請求項１１】
伝送される電力を選択的に変換する変換部をさらに備え、
前記照合部は、特定された前記電源の種別と特定された前記受電能力とを照合して、種別が特定された電源から供給される電力が、特定された前記受電能力を超えるかを判定し、
前記電力制御部は、
前記照合結果である判定結果が、前記受電能力を超えることを示す場合には、前記変換部に、伝送される電力を特定された前記受電能力を超えない電力に変換させ、
前記照合結果である判定結果が、前記受電能力を超えることを示さない場合には、前記変換部に、伝送される電力を変換させない、請求項１０に記載の受電装置。
【請求項１２】
電力を供給する電源の種別を特定するステップと、
給電対象の外部装置の受電能力を特定するステップと、
特定された前記電源の種別と、特定された前記受電能力とを照合するステップと、
照合結果に基づいて、前記給電対象の外部装置に対応する電力を伝送させるステップと、
を有する、給電方法。
【請求項１３】
伝送される電力を供給する電源の種別を特定するステップと、
自装置の受電能力を特定するステップと、
特定された前記電源の種別と、特定された前記受電能力とを照合するステップと、
照合結果に基づいて、自装置に対応する電力を受電させるステップと、
を有する、受電方法。
【請求項１４】
電力を供給する電源の種別を特定するステップ、
給電対象の外部装置の受電能力を特定するステップ、
特定された前記電源の種別と、特定された前記受電能力とを照合するステップ、
照合結果に基づいて、前記給電対象の外部装置に対応する電力を伝送させるステップ、
をコンピュータに実行させるためのプログラム。
【請求項１５】
伝送される電力を供給する電源の種別を特定するステップ、
自装置の受電能力を特定するステップ、
特定された前記電源の種別と、特定された前記受電能力とを照合するステップ、
照合結果に基づいて、自装置に対応する電力を受電させるステップ、
をコンピュータに実行させるためのプログラム。
【手続補正書】
【提出日】平成27年3月24日(2015.3.24)
【手続補正１】
【補正対象書類名】明細書
【補正対象項目名】０００９
【補正方法】変更
【補正の内容】
【０００９】
実施形態の電気掃除機は、電動送風機を収容した掃除機本体を有する。また、この電気掃除機は、使用者に把持される硬質の把持部を有する。さらに、この電気掃除機は、把持部に設けられ、この把持部を使用者が把持しているか否かを使用者の接触により検出する把持検出センサを有する。また、この電気掃除機は、把持部に設けられ、使用者の接触を検出することで前記電動送風機の動作状態を設定可能な切換センサを有する。さらに、この電気掃除機は、把持検出センサにより把持部を使用者が把持したことを検出したときに電動送風機の駆動を制御するとともに、切換センサでの設定に対応した電動送風機の動作状態を制御する制御手段を有する。そして、この制御手段は、把持検出センサへの使用者の接触の検出により電動送風機を動作させている状態で切換センサへの使用者の接触を検出すると、この切換センサによる設定に対応して電動送風機の動作状態を切り換える。
【手続補正２】
【補正対象書類名】特許請求の範囲
【補正対象項目名】全文
【補正方法】変更
【補正の内容】
【特許請求の範囲】
【請求項１】
電動送風機を収容した掃除機本体と、
使用者に把持される硬質の把持部と、
前記把持部に設けられ、この把持部を使用者が把持しているか否かを使用者の接触により検出する把持検出センサと、
前記把持部に設けられ、使用者の接触を検出することで前記電動送風機の動作状態を設定可能な切換センサと、
前記把持検出センサにより前記把持部を使用者が把持したことを検出したときに前記電動送風機の駆動を制御するとともに、前記切換センサでの設定に対応した前記電動送風機の動作状態を制御する制御手段とを具備し、
前記制御手段は、前記把持検出センサへの使用者の接触の検出により前記電動送風機を動作させている状態で前記切換センサへの使用者の接触を検出すると、この切換センサによる設定に対応して前記電動送風機の動作状態を切り換える
ことを特徴とした電気掃除機。
【請求項２】
切換センサは、動作中の電動送風機を停止させる停止センサである
ことを特徴とした請求項１記載の電気掃除機。
【請求項３】
制御手段は、電動送風機が動作している状態で、把持検出センサにより把持部を使用者が把持していないことを所定時間以上検出したときに、前記電動送風機を停止させる
ことを特徴とした請求項１または２記載の電気掃除機。
【請求項４】
切換センサは、把持部の上側に配置され、
把持検出センサは、把持部の下側に配置されている
ことを特徴とした請求項１ないし３いずれか一記載の電気掃除機。
【請求項５】
把持検出センサは、把持部の異なる二点間の電位差により接触を検出する
ことを特徴とした請求項１ないし４いずれか一記載の電気掃除機。
【請求項６】
把持検出センサは、把持部の静電容量または電荷の変化を検出することにより接触を検出する
ことを特徴とした請求項１ないし４いずれか一記載の電気掃除機。
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
前胴回り域と、後胴回り域と、前記前胴回り域と前記後胴回り域との間に位置する股下域と、を有し、
一対の脚回り開口部が形成されるとともに、前記股下域を跨ぎ前記前胴回り域及び前記後胴回り域に延びる吸収体を備え、
前記前胴回り域から前記後胴回り域に向かう製品長手方向と、製品長手方向と直交する製品幅方向とを有する使い捨ておむつであって、
前記前胴回り域及び前記後胴回り域において、製品幅方向に沿って延び、前記使い捨ておむつを着用者の身体に保持する胴回り保持部と、
前記股下域に形成され、製品長手方向または製品幅方向に伸縮可能なクロッチ部と、
前記吸収体に形成され、製品幅方向に沿って延びて前記使い捨ておむつの曲げ基点となる第１変曲部と、
前記吸収体に形成され、製品幅方向に沿って延びて前記使い捨ておむつの曲げ基点となるとともに、前記第１変曲部よりも前記後胴回り部寄りに位置する第２変曲部と
を備え、
前記クロッチ部は、前記胴回り保持部と交差することなく、
前記クロッチ部の製品長手方向に沿ったサイズは、前記使い捨ておむつの自然状態において、30mm以上、150mm以下であり、
前記吸収体には、前記クロッチ部よりも製品長手方向の縁部の領域において、前記吸収体を構成する吸収性コアが存在しない切欠きが形成され、
前記切欠きは、製品幅方向外側に行くに連れて製品長手方向における長さが広くなるとともに、前記切欠きの前記前胴回り域または前記後胴回り域寄りの縁部は、円弧状である、使い捨ておむつ。
【請求項２】
前記クロッチ部は、製品長手方向に沿って伸縮可能である請求項１に記載の使い捨ておむつ。
【請求項３】
前記クロッチ部の伸縮率は、１．２倍以上、１．８倍以下である請求項１または２に記載の使い捨ておむつ。
【請求項４】
前胴回り域と、後胴回り域と、前記前胴回り域と前記後胴回り域との間に位置する股下域と、を有し、
一対の脚回り開口部が形成されるとともに、前記股下域を跨ぎ前記前胴回り域及び前記後胴回り域に延びる吸収体を備え、
前記前胴回り域から前記後胴回り域に向かう製品長手方向と、製品長手方向と直交する製品幅方向とを有する使い捨ておむつであって、
前記前胴回り域及び前記後胴回り域において、製品幅方向に沿って延び、前記使い捨ておむつを着用者の身体に保持する胴回り保持部と、
前記股下域に形成されるクロッチ部と、
前記吸収体に形成され、製品幅方向に沿って延びて前記使い捨ておむつの曲げ基点となる第１変曲部と、
前記吸収体に形成され、製品幅方向に沿って延びて前記使い捨ておむつの曲げ基点となるとともに、前記第１変曲部よりも前記後胴回り部寄りに位置する第２変曲部と、
前記吸収体の非肌当接面側に配置される外装シートと
を備え、
前記クロッチ部は、前記胴回り保持部と交差することなく、
前記クロッチ部の製品長手方向に沿ったサイズは、前記使い捨ておむつの自然状態において、30mm以上、150mm以下であり、
製品長手方向において前記クロッチ部を挟む位置には、少なくとも前記外装シートを摘んだダーツ部が形成された使い捨ておむつ。
【請求項５】
前胴回り域と、後胴回り域と、前記前胴回り域と前記後胴回り域との間に位置する股下域と、を有し、
一対の脚回り開口部が形成されるとともに、前記股下域を跨ぎ前記前胴回り域及び前記後胴回り域に延びる吸収体を備え、
前記前胴回り域から前記後胴回り域に向かう製品長手方向と、製品長手方向と直交する製品幅方向とを有する使い捨ておむつであって、
前記前胴回り域及び前記後胴回り域において、製品幅方向に沿って延び、前記使い捨ておむつを着用者の身体に保持する胴回り保持部と、
前記股下域に形成されるクロッチ部と、
前記吸収体に形成され、製品幅方向に沿って延びて前記使い捨ておむつの曲げ基点となる第１変曲部と、
前記吸収体に形成され、製品幅方向に沿って延びて前記使い捨ておむつの曲げ基点となるとともに、前記第１変曲部よりも前記後胴回り部寄りに位置する第２変曲部と
を備え、
前記クロッチ部は、前記胴回り保持部と交差することなく、
前記クロッチ部の製品長手方向に沿ったサイズは、前記使い捨ておむつの自然状態において、30mm以上、150mm以下であり、
前記クロッチ部は、前記クロッチ部を補強する補強シートを有する使い捨ておむつ。
【請求項６】
前記クロッチ部は、製品長手方向における前記使い捨ておむつの中心を含む位置に形成され、
製品長手方向における前記後胴回り部の長さは、製品長手方向における前記前胴回り部の長さよりも長い請求項１乃至５の何れか一項に記載の使い捨ておむつ。
【請求項７】
前記製品長手方向における前記後胴回り部の長さと、製品長手方向における前記前胴回り部の長さとの比率は、1.1以上、1.6以下である請求項６に記載の使い捨ておむつ。
【請求項８】
前記吸収体を構成する吸収性コアの製品幅方向に沿った幅は、前記クロッチ部が形成されている領域において最も狭い請求項１乃至７の何れか一項に記載の使い捨ておむつ。
【請求項９】
前記クロッチ部の製品幅方向に沿った幅は、前記クロッチ部と重なっている領域における前記吸収体の製品幅方向に沿った幅よりも狭く、
前記クロッチ部の製品幅方向に沿った幅と、前記クロッチ部と重なっている領域において前記吸収体を構成する吸収性コアの幅が最も狭い部分における製品幅方向に沿った幅との差は、20%以下である請求項１乃至８の何れか一項に記載の使い捨ておむつ。
【請求項１０】
前記第１変曲部及び前記第２変曲部の少なくとも一部には、前記吸収性コアの他の部分よりも目付けが低い、または前記吸収性コアが形成されていない請求項１乃至９の何れか一項に記載の使い捨ておむつ。
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
プリンタユニットと、該プリンタユニットの上部に当該プリンタユニット上面を開閉可
能に設けられたスキャナユニットとを備え、
前記プリンタユニットは、インクを吐出する記録ヘッドを備えるとともに、所定の移動
方向に移動可能なヘッドユニットと、
インクが収容されたインク収容部と、
前記インク収容部から送られるインクを前記記録ヘッドへと導くインクチューブと、を
備え、
前記スキャナユニットの側壁には切欠部が形成され、
前記インクチューブは、前記スキャナユニットの全閉状態において、前記切欠部を通っ
て前記プリンタユニットと前記スキャナユニットとの間から外側に出る、
ことを特徴とするインクジェット記録装置。
【請求項２】
請求項１に記載のインクジェット記録装置において、前記スキャナユニットの全閉状態
において前記切欠部によって形成された、前記インクチューブが通る隙間は、前記インク
チューブの外径以上である、
ことを特徴とするインクジェット記録装置。
【請求項３】
請求項１に記載のインクジェット記録装置において、前記スキャナユニットの全閉状態
において前記切欠部によって形成された、前記インクチューブが通る隙間は、前記インク
チューブの外径未満であるとともに、前記インクチューブ内におけるインク流路を遮断し
ない大きさである、
ことを特徴とするインクジェット記録装置。
【請求項４】
請求項２または３に記載のインクジェット記録装置において、前記プリンタユニットは
、前記ヘッドユニットの移動領域における少なくとも一部の上方を露呈させる開口部が形
成されたハウジングと、
前記プリンタユニット内における前記インクチューブの位置を規制するチューブ係合部材と、を備える、
ことを特徴とするインクジェット記録装置。
【請求項５】
請求項４に記載のインクジェット記録装置において、前記チューブ係合部材は、前記開口部を跨がって配設される、
ことを特徴とするインクジェット記録装置。
【請求項６】
請求項５に記載のインクジェット記録装置において、前記チューブ係合部材において前
記インクチューブが固定された第１固定位置と、前記ヘッドユニットにおいて前記インク
チューブが固定された第２固定位置と、の間における前記インクチューブが、前記ヘッド
ユニットの移動動作に伴って変形する変形区間であり、
前記インクチューブにおいて前記第２固定位置から前記切欠部を通って前記ハウジング
の外側に設けられたインク収容部に至る区間は、前記ヘッドユニットの移動動作に伴って
変形しない非変形区間である、
ことを特徴とするインクジェット記録装置。
【請求項７】
請求項１から請求項６のいずれか一項に記載のインクジェット記録装置において、前記インクチューブは、前記切欠部を通って前記プリンタユニットと前記スキャナユニットとの間から外側に出る前に、固定手段によって前記プリンタユニットの上面に固定されている、
ことを特徴とするインクジェット記録装置。
【請求項８】
請求項７に記載のインクジェット記録装置において、前記インクチューブを複数本備え
るとともに、当該複数本のインクチューブが、前記変形区間及び前記非変形区間の少なく
ともいずれかにおいて結束手段によって結束されている、
ことを特徴とするインクジェット記録装置。
【請求項９】
インクを吐出する記録ヘッドを備えるとともに、所定の移動方向に移動可能なヘッドユ
ニットと、
前記ヘッドユニットの移動領域における少なくとも一部の移動領域上部を露呈させる開
口部を備えたハウジングと、
前記ヘッドユニットに接続され、インクが収容されたインク収容部から送られるインク
を前記記録ヘッドへと導く、可撓性を有するインクチューブと、
前記ヘッドユニットの移動領域上方を覆うカバーと、を備え、
前記カバーの側壁には切欠部が形成され、
前記インクチューブは、前記カバーの全閉状態において、前記切欠部を通って前記ハウ
ジングの外側に出る、
ことを特徴とするインクジェット記録装置。
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
装置であって、
前縁および後縁で長手方向の範囲を規定するスライダ本体と、
前記スライダ本体に沿って実質的に横方向に延在するクロスレールと、
前記スライダ本体に沿って実質的に前記長手方向に延在するとともに前記クロスレールに繋がるサイドレールとを備え、前記サイドレール及び前記クロスレールは、正圧凹所及び負圧凹所の少なくとも一つの一部を規定し、前記サイドレールは、前記サイドレールの一方側において周囲流体と流体連通するが、前記サイドレールの反対側の前記正圧凹所および前記負圧凹所の前記少なくとも一つとは流体連通しないキャビティを含む、装置。
【請求項２】
前端および後縁において長手方向の範囲を規定するスライダ本体を有するスライダを得ることを備え、前記スライダは、前記スライダ本体に沿って実質的に横方向に延在するクロスレールと、前記スライダ本体に沿って実質的に前記長手方向に延在するとともに前記クロスレールに繋がるサイドレールとを有し、前記サイドレール及び前記クロスレールは、正圧凹所および負圧凹所の少なくとも一つの一部を規定し、前記サイドレールは、前記サイドレールの一方側において周囲流体と流体連通するが、前記サイドレールの反対側の前記正圧凹所および前記負圧凹所の前記少なくとも一つとは流体連通しないキャビティを含み、さらに、
媒体を動かすことによって生成される流体流れにより、前記スライダを前記媒体から離れるよう浮上させることを備える、方法。
【請求項３】
前記キャビティは、入来周囲流体に対して角度付けられている、請求項１に記載の装置。
【請求項４】
前記キャビティは、第１の中央軸に沿って互いに反対側にある、平行でない表面によって規定される、請求項１または請求項３に記載の装置。
【請求項５】
前記キャビティは２つ以上の異なる厚さによって規定される、請求項１、３、４のいずれか一項に記載の装置。
【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
以前ライト区間のライト動作に基づき調節された現在ライト区間の開始パルスを、抵抗性メモリセルに提供してデータをライトし、
前記開始パルスによって正確にライトしたかどうかをベリファイし、
前記ベリファイの結果に応じ、現在ライト区間において前記抵抗性メモリセルを増加型単方向ライト方式によりライトするか又は減少型単方向ライト方式によりライトすることを含むことを特徴とする不揮発性メモリ装置の駆動方法。
【請求項２】
前記開始パルスは、以前ライト区間のライト動作が増加型単方向ライト方式により行われた第１ループ回数と、以前ライト区間のライト動作が減少型単方向ライト方式により行われた第２ループ回数を利用して調節されることを特徴とする請求項１に記載の不揮発性メモリ装置の駆動方法。
【請求項３】
前記第１ループ回数が前記第２ループ回数より大きいと、前記開始パルスのサイズを増加することを特徴とする請求項２に記載の不揮発性メモリ装置の駆動方法。
【請求項４】
前記第１ループ回数が前記第２ループ回数より小さいと、前記開始パルスのサイズを減少することを特徴とする請求項２に記載の不揮発性メモリ装置の駆動方法。
【請求項５】
次のライト区間のライト動作において前記第１ループ回数と前記第２ループ回数が同一になるように、前記開始パルスのサイズが調節されることを特徴とする請求項２に記載の不揮発性メモリ装置の駆動方法。
【請求項６】
前記ベリファイにおいては、第１ベリファイ基準値と前記第１ベリファイ基準値より大きい第２ベリファイ基準値を利用することを特徴とする請求項１に記載の不揮発性メモリ装置の駆動方法。
【請求項７】
前記ベリファイの結果、前記抵抗性メモリセルの抵抗値が前記第１ベリファイ基準値より小さいと、前記抵抗性メモリセルは増加型単方向ライト方式によりライトされることを特徴とする請求項６に記載の不揮発性メモリ装置の駆動方法。
【請求項８】
前記ベリファイの結果、前記抵抗性メモリセルの抵抗値が前記第２ベリファイ基準値より大きいと、前記抵抗性メモリセルは減少型単方向ライト方式によりライトされることを特徴とする請求項６に記載の不揮発性メモリ装置の駆動方法。
【請求項９】
前記増加型単方向ライト方式は、ライト区間のループ回数が増加するほど前記抵抗性メモリセルに提供するライト電流が増加することを特徴とする請求項１に記載の不揮発性メモリ装置の駆動方法。
【請求項１０】
前記減少型単方向ライト方式は、ライト区間のループ回数が増加するほど前記抵抗性メモリセルに提供するライト電流が減少することを特徴とする請求項１に記載の不揮発性メモリ装置の駆動方法。
【請求項１１】
抵抗性メモリセルと、
前記抵抗性メモリセルに対応するセンスアンプと、
前記抵抗性メモリセルに対応するライトドライバと、を含み、
前記ライトドライバは以前ライト区間のライト動作に基づいて決定された開始パルスを前記抵抗性メモリセルに提供し、
前記センスアンプは前記開始パルスによって正確にライトしたか否かをベリファイし、
前記ライトドライバは前記ベリファイの結果に応じ、前記抵抗性メモリセルを増加型単方向ライト方式によりライトするか又は減少型単方向ライト方式によりライトすることを特徴とする不揮発性メモリ装置。
【請求項１２】
以前ライト区間において増加型単方向ライト方式により行われた第１ループ回数をカウンティングする第１カウンタと、
以前ライト区間において減少型単方向ライト方式により行われた第２ループ回数をカウンティングする第２カウンタと、
前記第１ループ回数と前記第２ループ回数を提供されて開始パルス制御信号を生成する制御部と、を更に含むことを特徴とする請求項１１に記載の不揮発性メモリ装置。
【請求項１３】
前記第１ループ回数が前記第２ループ回数より大きいと、前記開始パルス制御信号は次のライト区間の前記開始パルスを増加させることを特徴とする請求項１２に記載の不揮発性メモリ装置。
【請求項１４】
前記第１ループ回数が前記第２ループ回数より小さいと、前記開始パルス制御信号は次のライト区間の前記開始パルスを減少させることを特徴とする請求項１２に記載の不揮発性メモリ装置。
【請求項１５】
前記センスアンプは、第１ベリファイ基準値と前記第１ベリファイ基準値より大きい第２ベリファイ基準値とを利用してベリファイし、前記第１ベリファイ基準値によるベリファイの結果を示す第１ベリファイ信号と前記第２ベリファイ基準値によるベリファイの結果を示す第２ベリファイ信号を提供することを特徴とする請求項１１に記載の不揮発性メモリ装置。
【請求項１６】
前記第１ベリファイ信号を格納し、前記第１ベリファイ信号に対応する第１ライトイネーブル信号を提供する第１イネーブルラッチ（ｅｎａｂｌｅ  ｌａｔｃｈ）と、前記第２ベリファイ信号を格納し、前記第２ベリファイ信号に対応する第２ライトイネーブル信号を提供する第２イネーブルラッチと、を更に含むことを特徴とする請求項１５に記載の不揮発性メモリ装置。
【請求項１７】
前記第１イネーブルラッチ及び第２イネーブルラッチは、パス（ｐａｓｓ）を示す前記ベリファイ信号を提供された後、現在のライト区間が終了するときまで格納値を変更しないワンウェイラッチ（ｏｎｅ−ｗａｙ  ｌａｔｃｈ）であることを特徴とする請求項１６に記載の不揮発性メモリ装置。
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
複数の情報処理端末とネットワークを介して接続される情報処理装置であって、
前記複数の情報処理端末で共有される会議の一覧情報を取得するための取得要求を、前記複数の情報処理端末のうちの一の情報処理端末から受信すると、前記会議の一覧情報を該一の情報処理端末へ送信する送信手段と、
前記会議の一覧情報に含まれる所定の会議への参加要求を前記一の情報処理端末から受信すると、該一の情報処理端末へ前記所定の会議で表示するために用いられるコンテンツデータを送信するデータ送信手段と、を有し、
前記データ送信手段で送信するコンテンツデータは、前記会議の一覧情報に含まれる所定の会議の会議資料と、当該会議資料のデータに関連する情報とを含む
ことを特徴とする情報処理装置。
【請求項２】
前記情報処理端末における前記会議資料への操作内容、又は、前記会議資料に書き込まれた手書き内容を、前記会議資料のデータに関連する情報として前記情報処理端末から受け付ける共有情報受付手段と、
前記会議資料のデータに関連する情報を前記会議に参加している複数の前記情報処理端末に配信する共有情報配信手段
を更に有する
ことを特徴とする請求項１記載の情報処理装置。
【請求項３】
前記共有情報受付手段は、前記会議資料に書き込まれた手書き内容を、前記会議資料と紐付けて保存する
ことを特徴とする請求項２記載の情報処理装置。
【請求項４】
前記送信手段は、前記会議の状態情報に基づき、終了してから所定時間が経過していない会議を、再開催できる会議とする
ことを特徴とする請求項１乃至３何れか一項記載の情報処理装置。
【請求項５】
複数の情報処理端末と、情報処理装置とが、ネットワークを介して接続される電子会議システムであって、
前記複数の情報処理端末で共有される会議の一覧情報を取得するための取得要求を、前記複数の情報処理端末のうちの一の情報処理端末から受信すると、前記会議の一覧情報を該一の情報処理端末へ送信する送信手段と、
前記会議の一覧情報に含まれる所定の会議への参加要求を前記一の情報処理端末から受信すると、該一の情報処理端末へ前記所定の会議で表示するために用いられるコンテンツデータを送信するデータ送信手段と、
前記情報処理端末において前記コンテンツデータに基づき表示を行うコンテンツ表示手段と、を有し、
前記データ送信手段で送信するコンテンツデータは、前記会議の一覧情報に含まれる所定の会議の会議資料と、当該会議資料のデータに関連する情報とを含む
ことを特徴とする電子会議システム。
【請求項６】
複数の情報処理端末とネットワークを介して接続される情報処理装置において実行されるコンテンツデータ送信方法であって、
前記複数の情報処理端末で共有される会議の一覧情報を取得するための取得要求を、前記複数の情報処理端末のうちの一の情報処理端末から受信すると、前記会議の一覧情報を該一の情報処理端末へ送信する送信ステップと、
前記会議の一覧情報に含まれる所定の会議への参加要求を前記一の情報処理端末から受信すると、該一の情報処理端末へ前記所定の会議で表示するために用いられるコンテンツデータを送信するデータ送信ステップと、を有し、
前記データ送信ステップで送信するコンテンツデータは、前記会議の一覧情報に含まれる所定の会議の会議資料と、当該会議資料のデータに関連する情報とを含む
ことを特徴とするコンテンツデータ送信方法。
【手続補正２】
【補正対象書類名】明細書
【補正対象項目名】発明の名称
【補正方法】変更
【補正の内容】
【発明の名称】情報処理装置、電子会議システム及びコンテンツデータ送信方法
【手続補正３】
【補正対象書類名】明細書
【補正対象項目名】０００１
【補正方法】変更
【補正の内容】
【０００１】
本発明は、情報処理装置、電子会議システム及びコンテンツデータ送信方法に関する。
【手続補正４】
【補正対象書類名】明細書
【補正対象項目名】０００５
【補正方法】変更
【補正の内容】
【０００５】
本発明は、上記の点に鑑みなされたもので、終了した会議の会議情報に基づき会議を再開催することができる情報処理装置を提供することを目的とする。
【手続補正５】
【補正対象書類名】明細書
【補正対象項目名】０００６
【補正方法】変更
【補正の内容】
【０００６】
上記目的を達成するため、本願請求項１は、複数の情報処理端末とネットワークを介して接続される情報処理装置であって、前記複数の情報処理端末で共有される会議の一覧情報を取得するための取得要求を、前記複数の情報処理端末のうちの一の情報処理端末から受信すると、前記会議の一覧情報を該一の情報処理端末へ送信する送信手段と、前記会議の一覧情報に含まれる所定の会議への参加要求を前記一の情報処理端末から受信すると、該一の情報処理端末へ前記所定の会議で表示するために用いられるコンテンツデータを送信するデータ送信手段と、を有し、前記データ送信手段で送信するコンテンツデータは、前記会議の一覧情報に含まれる所定の会議の会議資料と、当該会議資料のデータに関連する情報とを含むことを特徴とする。
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
冷却フィンのベース板の実装部上に半導体素子を実装し、前記半導体素子と前記実装部を樹脂で封止して半導体モジュールを形成する工程と、
前記実装部から横方向に延びる前記ベース板の第１の延設部を冷却ジャケットの固定部の差込口に差し込む工程と、
前記第１の延設部を前記差込口に差し込んだ状態で、前記実装部から前記第１の延設部とは反対方向に延びる前記ベース板の第２の延設部を前記冷却ジャケットに固定して、前記半導体モジュールを前記冷却ジャケットに取り付ける工程とを備えることを特徴とする半導体装置の製造方法。
【請求項２】
前記第２の延設部を前記冷却ジャケットにネジ止めすることを特徴とする請求項１に記載の半導体装置の製造方法。
【請求項３】
前記固定部において、前記第１の延設部が差し込まれる部分の下方に溝を設けることを特徴とする請求項１又は２に記載の半導体装置の製造方法。
【請求項４】
前記固定部の前記第１の延設部との接触面に突起を設け、
前記第１の延設部を前記差込口に差し込む際に前記第１の延設部と前記突起が接触しないようにし、
前記第２の延設部を固定する際に前記突起で前記第１の延設部を押さえ付けることを特徴とする請求項１〜３の何れか1項に記載の半導体装置の製造方法。
【請求項５】
冷却フィンのベース板の実装部上に半導体素子を実装し、前記半導体素子と前記実装部を樹脂で封止して半導体モジュールを形成する工程と、
前記実装部から横方向に延びる前記ベース板の延設部を外付け部品により冷却ジャケットに押し付けて固定して、前記半導体モジュールを前記冷却ジャケットに取り付ける工程とを備えることを特徴とする半導体装置の製造方法。
【請求項６】
前記外付け部品を前記冷却ジャケットにネジ止めすることを特徴とする請求項５に記載の半導体装置の製造方法。
【請求項７】
冷却ジャケットと、
前記冷却ジャケットに取り付けられた半導体モジュールとを備え、
前記半導体モジュールは、ベース板を含む冷却フィンと、前記ベース板の実装部上に実装された半導体素子と、前記半導体素子と前記実装部を封止する樹脂とを有し、
前記冷却ジャケットは、差込口を持つ固定部を有し、
前記実装部から横方向に延びる前記ベース板の第１の延設部が前記固定部の前記差込口に差し込まれ、
前記実装部から前記第１の延設部とは反対方向に延びる前記ベース板の第２の延設部が前記冷却ジャケットに固定されていることを特徴とする半導体装置。
【請求項８】
前記第２の延設部は前記冷却ジャケットにネジ止めされていることを特徴とする請求項７に記載の半導体装置。
【請求項９】
前記固定部において、前記第１の延設部が差し込まれる部分の下方に溝が設けられていることを特徴とする請求項７又は８に記載の半導体装置。
【請求項１０】
前記固定部の前記第１の延設部との接触面に突起が設けられ、
前記突起が前記第１の延設部を押さえ付けていることを特徴とする請求項７〜９の何れか１項に記載の半導体装置。
【請求項１１】
冷却ジャケットと、
外付け部品と、
前記冷却ジャケットに前記外付け部品により取り付けられた半導体モジュールとを備え、
前記半導体モジュールは、ベース板を含む冷却フィンと、前記ベース板の実装部上に実装された半導体素子と、前記半導体素子と前記実装部を封止する樹脂とを有し、
前記実装部から横方向に延びる前記ベース板の延設部が前記外付け部品により前記冷却ジャケットに押し付けられて固定されていることを特徴とする半導体装置。
【請求項１２】
前記外付け部品は前記冷却ジャケットにネジ止めされていることを特徴とする請求項１１に記載の半導体装置。